(57)【要約】超音波モータの駆動方法であって、超音波モータの圧電素子に対して２個１組で又は３個１組でグループ分けし、２個１組の場合は、各組では、第一、第二の圧電素子の一方のアウトレット端子が第それぞれ第一、第三のノードに接続されるが、もう一方のアウトレット端子が共通接地端子としての第二のノードに接続され、隣接する各４個の圧電素子が＋＋−−の順に分極化されるようにし、３個１組の場合は、各組では、第一、第二、及び第三の圧電素子の一方のアウトレット端子がそれぞれ第一、第二、第三のノードに接続されるが、もう一方のアウトレット端子がいずれも共通接地端子としての第四のノードに接続され、圧電素子のすべてが順方向に分極化されるようにする。三相ブリッジ・インバータ回路を制御して直交二相又は対称三相の交流電圧を得て各圧電素子にそれぞれ給電することによりめ、有効的に給電電源の電圧振幅を低減し、トランジスタ・スイッチの個数を減らし、駆動回路の効率を向上することできる。【選択図】図４
2011501646.tif 000002
【特許請求の範囲】
【請求項１】
超音波モータの駆動方法において、
Ａ、上記超音波モータの圧電素子を二個一組の形でグループ分けし、各組では、第一の圧電素子の一方のアウトレット端子が第一のノードに接続され、もう一方のアウトレット端子が各圧電素子の共通接地端子としての第二のノードに接続され、第二の圧電素子のアウトレット端子が第三のノードに接続され、もう一方のアウトレット端子も上記第二のノードに接続され、隣接する各四個の圧電素子が＋＋−−の順に分極化されるようにし、
Ｂ、上記超音波モータの上記第一のノードに接続される第一のアームと、上記超音波モータの上記第二のノードに接続される第二のアームと、上記超音波モータの上記第三のノードに接続される第三のアームとを備える三相フル・ブリッジ・インバータ回路を採用し、
Ｃ、上側トランジスタと下側トランジスタが各自１８０度の電気角で導通するとともに相互に対称するように上記第一のアームを制御し、上記第一のアームの場合と同じ制御波形となるが逆相波形であるように上記第三のアームを制御し、上記第一のアームの場合と同じ制御波形となるが９０度の進み角または９０度の遅れ角を形成するように上記第二のアームを制御し、
Ｄ、上記第一のノードおよび上記第二のノードの間と、上記第三のノードおよび上記第二のノードの間とに対してそれぞれ、上記超音波モータの共振周波数範囲にある周波数を有する、互いに位相差が９０度の電気角を為す矩形波交流電圧を印加することを特徴とする超音波モータの駆動方法。
【請求項２】
上記三相フル・ブリッジ・インバータ回路の前段にＤＣ／ＤＣスイッチング回路を設け、給電電圧の振幅を上記圧電素子に必要な電圧振幅に変換させることを特徴とする請求項１に記載の超音波モータの駆動方法。
【請求項３】
超音波モータの駆動方法において、
Ａ、上記超音波モータの圧電素子を三個一組の形でグループ分けし、各組では、第一の圧電素子の一方のアウトレット端子が第一のノードに接続され、もう一方のアウトレット端子が各圧電素子の共通接地端子としての第四のノードに接続され、第二の圧電素子の一方のアウトレット端子が第二のノードに接続され、もう一つのアウトレット端子も上記第四のノードに接続され、第三の圧電素子の一方のアウトレット端子が第三のノードに接続され、もう一方のアウトレット端子も上記第四のノードに接続され、圧電素子のすべてが正方向に分極化されるようにし、
Ｂ、上記超音波モータの上記第一のノードに接続される第一のアームと、上記超音波モータの上記第二のノードに接続される第二のアームと、上記超音波モータの上記第三のノードに接続される第三のアームとを備える三相フル・ブリッジ・インバータ回路を採用し、
Ｃ、上側トランジスタと下側トランジスタが各自１８０度の電気角で導通するとともに相互に対称するように上記第一のアームを制御し、上記第一のアームの場合と同じ制御波形となるが１２０度の進み角または１２０度の遅れ角を形成するようにように上記第二のアームを制御し、上記第一のアームの場合と同じ制御波形となるが２４０度の進み角または２４０度の遅れ角を形成するように上記第三のアームを制御し、
Ｄ、上記第一のノードおよび上記第二のノードの間と、上記第二のノードおよび上記第三のノードの間と、上記第三のノードおよび上記第一のノードの間とに対してそれぞれ、上記超音波モータの共振周波数範囲にある周波数を有する、互いに位相差が１２０度の電気角を為す矩形波交流電圧を印加することを特徴とする超音波モータの駆動方法。
【請求項４】
上記三相フル・ブリッジ・インバータ回路の前段にＤＣ／ＤＣスイッチング回路を設け、給電電圧の振幅を上記圧電素子に必要な電圧振幅に変換させることを特徴とする請求項３に記載の超音波モータの駆動方法。
【請求項５】
超音波モータの駆動方法において、
Ａ、上記超音波モータの圧電素子を二個一組の形でグループ分けし、各組では、第一の圧電素子の一方のアウトレット端子が第一のノードに接続され、もう一方のアウトレット端子が各圧電素子の共通接地端子としての第三のノードに接続され、第二の圧電素子の一方のアウトレット端子が第二のノードに接続され、もう一方のアウトレット端子も上記第三のノードに接続され、隣接する各四個の圧電素子は＋＋−−の順に分極化されるようにし、
Ｂ、出力端子が上記超音波モータの上記第一のノードに接続される第一のアームと、出力端子が上記超音波モータの上記第二のノードに接続される第二のアームとを備える、接地が上記超音波モータの上記第三のノードに接続される二つのハーフ・ブリッジ回路を採用し、
Ｃ、上側トランジスタと下側トランジスタがそれぞれ一定の導通角で導通するように上記第一のアームを制御し、上記第一のアームの場合と同じ制御波形となるがそれよりも９０度の進み角または９０度の遅れ角を形成するように上記第二のアームを制御し、
Ｄ、位相差が９０度の電気角であり、上記超音波モータの共振周波数範囲にある周波数を有する脈動直流電圧を出力することを特徴とする超音波モータの駆動方法。
【請求項６】
上記２つのハーフ・ブリッジ回路の前段にＤＣ／ＤＣスイッチング回路を設け、給電電圧の振幅を上記圧電素子に必要な電圧振幅に変換させることを特徴とする請求項５に記載の超音波モータの駆動方法。
【請求項７】
超音波モータの駆動方法において、
Ａ、上記超音波モータの圧電素子を二個一組の形でグループ分けし、各組では、第一の圧電素子の一方のアウトレット端子が第一のノードに接続され、もう一方のアウトレット端子が各圧電素子の共通接地端子としての第三のノードに接続され、第二の圧電素子の一方のアウトレット端子が第二のノードに接続され、もう一方のアウトレット端子も上記第三のノードに接続され、隣接する各四個の圧電素子が＋＋−−の順で分極化されるようにし、
Ｂ、出力が上記超音波モータの上記第一のノードに接続される第一の昇圧型ＤＣ／ＤＣスイッチング回路と、出力が上記超音波モータの上記第二のノードに接続される第二の昇圧型ＤＣ／ＤＣスイッチング回路とを用いて給電電圧の振幅を必要な電圧振幅に変換させ、
Ｃ、上記昇圧型ＤＣ／ＤＣスイッチング回路のそれぞれには、一端が電源の入力に接続されるが、もう一端がトランジスタのコレクタとダイオードの陽極との間に接続される一つのインダクタンスと、インダクタンスの出力端子と接地との間に接続される一つのトランジスタと、インダクタンスの出力端子と回路全体の出力端子との間に接続される一つのダイオードとを含ませ、
Ｄ、上記第一の昇圧型ＤＣ／ＤＣスイッチング回路が一定の脈動周波数で動作し、上記第二の昇圧型ＤＣ／ＤＣスイッチング回路が上記第一の昇圧型ＤＣ／ＤＣスイッチング回路の場合と同じであるが上記第一の昇圧型ＤＣ／ＤＣスイッチング回路の場合よりも１／４周期リードする若しくは遅延する脈動周波数で動作するように制御し、
Ｅ、互いに位相が１／４周期ずれ、電圧振幅が昇圧型ＤＣ／ＤＣスイッチング回路の出力値となり、上記超音波モータの共振周波数範囲にある脈動周波数を有する二つの脈動直流電圧を出力することを特徴とする超音波モータの駆動方法。
【請求項８】
さらに、各昇圧型ＤＣ／ＤＣスイッチング回路の出力端子と接地との間に一つのトランジスタを接続し、
トランジスタが脈動周波数で周期的に圧電素子に対して放電するように制御することを特徴とする請求項７に記載の超音波モータの駆動方法。
【請求項９】
各昇圧型ＤＣ／ＤＣスイッチング回路では、トランジスタに更なるダイオードが逆並列接続されるとともに、ダイオードに更なるトランジスタが逆並列接続されることを特徴とする請求項７又は請求項８に記載の超音波モータの駆動方法。
【発明の詳細な説明】
【技術分野】
【０００１】
本発明は、超音波モータの駆動方法に関するものである。
【背景技術】
【０００２】
超音波モータは、圧電体の逆圧電効果を利用したものであって、複数の圧電素子が特定の構成において組合わせられた駆動機構である。一般的には、回転子、固定子などの機能部品によって構成される。通常、電歪効果を有する圧電素子が固定子に固定される。従来の超音波モータでは、通常四つ（或いは、四つの整数倍）の圧電素子が設けられており、その駆動に４相又は２相直交型正弦波電源が用いられる。つまり、同組の四つの圧電素子に電源信号ｓｉｎωｔ、ｃｏｓωｔ、−ｓｉｎωｔ、−  ｃｏｓωｔが順次に印加され（方法１）と、又は、同組において対向する逆直列接続の二つの圧電素子に電源信号ｓｉｎωｔ、ｃｏｓωｔがそれぞれ印加される（方法２）ことで、図１に示すように、超音波モータにおいて進行波が形成されてモータが回転するようになる。
【０００３】
上記方法１と比較すれば、上記方法２は、２つの電源を省くため、より広く用いられてきている。しかし、方法２では、電源信号−ｓｉｎωｔ及び−  ｃｏｓωｔのかわりに電源信号ｓｉｎωｔ、ｃｏｓωｔを利用して電源供給するために、モータの圧電素子は逆直列接続されなければならないという問題がある。電源は実際直列接続の圧電素子に給電するためのものであり、２倍電圧が必要となり、且つ圧電素子自身に大きい駆動電圧振幅が必要である。したがって、２相直交型電源を採用する場合、給電電圧が数十ボルト〜数百ボルトと高くなる問題がある。特に、電池による電源供給がされる携帯型装置などの場合は、電源の設計が難しくなる。
【０００４】
図１に示す従来の超音波モータにおいて、固定子が外周に圧電セラミックス素子を貼設した中空の金属柱によって構成され、圧電板の外表面が金属化されて電極となり、その内表面に上記金属柱が短絡接続され、共通接地端子が形成されて接地する。超音波モータの圧電素子１１〜１４がそれぞれ正方向（符号＋で示す。外部→金属内筒という分極化方向を指す。）に分極化されたときに、圧電素子１１と圧電素子１３の間に２Ａｓｉｎωｔが印加され、圧電素子１２と圧電素子１４の間に２Ａｃｏｓωｔが印加されると、図１の破線が示すように、モータが回転するようになる。ここで、Ａは単体の圧電板を駆動するには必要な電圧振幅を示すものである。
【０００５】
正弦波電源では、回路構成が複雑であり、往々煩雑なフィルター回路が必要になる。従って、より簡単な回路構成のインバータ回路を採用して同じ周波数且つ同じ位相の矩形波を出力することは望ましい。図２に示すように、図１の正弦波電源の代わりに、独立に制御する単相Ｈブリッジを採用し、位相差が９０度の電気角となる矩形波を出力する。この場合でも、図１の実線で示すように、モータが回転するようになる。ここで、矩形波電圧において、実際、矩形波電圧振幅の１．２７（＝π／４）倍に等しい振幅を有する基本波成分だけがモータの駆動に寄与する。残りの高調波成分はまったく寄与しないため、各種の方法でそれを抑えることができる。
【０００６】
以上のように、２相直交型正弦波電源又は矩形波電源で超音波モータを駆動する場合には、電源から直列接続した二つの圧電板に電圧振幅が２Ａである電圧を供給することが必要になる。ここで、Ａは単体の圧電板を駆動するには必要な電圧振幅を示すものである。尚、携帯装置などの場合は、電源によって超音波モータを駆動するために、通常、前段に昇圧型ＤＣ／ＤＣスイッチング回路を設置し、電池の電圧振幅を超音波モータに必要な振幅に大きくし、そして、図２に示すインバータ回路を利用して超音波モータに必要な２相直交の電圧に変換する必要がある。電池の電圧が固定されているが、モータへの入力電圧の振幅が増加する場合、昇圧型ＤＣ／ＤＣスイッチング回路の昇圧比が高くなるため、モータの駆動は難しくなる。
【発明の概要】
【解決しようとする課題】
【０００７】
本発明は、簡略化された駆動回路を有する超音波モータの駆動方法を提供することを第一の目的とする。
【０００８】
また、本発明は、より簡略化されて集積化されやすい駆動回路を有する超音波モータの駆動方法を提供することを第二の目的とする。
【０００９】
また、本発明は、受動素子の動作効率を向上できる簡略化された駆動回路を有する超音波モータの駆動方法を提供することを第三の目的とする。
【００１０】
また、本発明は、最も簡略化された駆動回路を有する超音波モータの駆動方法を提供することを第四の目的とする。
【課題を解決するための手段】
【００１１】
上記第一の目的を達成するために、本発明は、超音波モータの駆動方法であって、
Ａ、上記超音波モータの圧電素子を二個一組の形でグループ分けし、各組では、第一の圧電素子の一方のアウトレット端子が第一のノードに接続され、もう一方のアウトレット端子が各圧電素子の共通接地端子としての第二のノードに接続され、第二の圧電素子のアウトレット端子が第三のノードに接続され、もう一方のアウトレット端子も上記第二のノードに接続され、隣接する各四個の圧電素子が＋＋−−の順に分極化されるようにするステップと、
Ｂ、上記超音波モータの上記第一のノードに接続される第一のアームと、上記超音波モータの上記第二のノードに接続される第二のアームと、上記超音波モータの上記第三のノードに接続される第三のアームとを備える三相フル・ブリッジ・インバータ回路を採用するステップと、
Ｃ、上側トランジスタと下側トランジスタが各自１８０度の電気角で導通するとともに相互に対称するように上記第一のアームを制御し、上記第一のアームの場合と同じ制御波形となるが逆相波形であるように上記第三のアームを制御し、上記第一のアームの場合と同じ制御波形となるが９０度の進み角または９０度の遅れ角を形成するように上記第二のアームを制御するステップと、
Ｄ、上記第一のノードおよび上記第二のノードの間と、上記第三のノードおよび上記第二のノードの間とに対してそれぞれ、上記超音波モータの共振周波数範囲にある周波数を有する、互いに位相差が９０度の電気角を為す矩形波交流電圧を印加するステップとを含む。
【００１２】
上記の構成において、三相フル・ブリッジ・インバータ回路の前段にＤＣ／ＤＣスイッチング回路を設け、給電電圧の振幅を上記圧電素子に必要な電圧振幅に変換させる。
【００１３】
また、上記第二の目的を達成するために、本発明は、超音波モータの駆動方法であって、
Ａ、上記超音波モータの圧電素子を三個一組の形でグループ分けし、各組では、第一の圧電素子の一方のアウトレット端子が第一のノードに接続され、もう一方のアウトレット端子が各圧電素子の共通接地端子としての第四のノードに接続され、第二の圧電素子の一方のアウトレット端子が第二のノードに接続され、もう一つのアウトレット端子も上記第四のノードに接続され、第三の圧電素子の一方のアウトレット端子が第三のノードに接続され、もう一方のアウトレット端子も上記第四のノードに接続され、圧電素子のすべてが正方向に分極化されるようにするステップと、
Ｂ、上記超音波モータの上記第一のノードに接続される第一のアームと、上記超音波モータの上記第二のノードに接続される第二のアームと、上記超音波モータの上記第三のノードに接続される第三のアームとを備える三相フル・ブリッジ・インバータ回路を採用するステップと、
Ｃ、上側トランジスタと下側トランジスタが各自１８０度の電気角で導通するとともに相互に対称するように上記第一のアームを制御し、上記第一のアームの場合と同じ制御波形となるが１２０度の進み角または１２０度の遅れ角を形成するようにように上記第二のアームを制御し、上記第一のアームの場合と同じ制御波形となるが２４０度の進み角または２４０度の遅れ角を形成するように上記第三のアームを制御するステップと、
Ｄ、上記第一のノードおよび上記第二のノードの間と、上記第二のノードおよび上記第三のノードの間と、上記第三のノードおよび上記第一のノードの間とに対してそれぞれ、上記超音波モータの共振周波数範囲にある周波数を有する、互いに位相差が１２０度の電気角を為す矩形波交流電圧を印加するステップとを含む。
上記の構成において、三相フル・ブリッジ・インバータ回路の前段にＤＣ／ＤＣスイッチング回路を設け、給電電圧の振幅を上記圧電素子に必要な電圧振幅に変換させる。
【００１４】
また、上記第三の目的を達成するために、本発明は、超音波モータの駆動方法であって、
Ａ、上記超音波モータの圧電素子を二個一組の形でグループ分けし、各組では、第一の圧電素子の一方のアウトレット端子が第一のノードに接続され、もう一方のアウトレット端子が各圧電素子の共通接地端子としての第三のノードに接続され、第二の圧電素子の一方のアウトレット端子が第二のノードに接続され、もう一方のアウトレット端子も上記第三のノードに接続され、隣接する各四個の圧電素子は＋＋−−の順に分極化されるようにするステップと、
Ｂ、出力端子が上記超音波モータの上記第一のノードに接続される第一のアームと、出力端子が上記超音波モータの上記第二のノードに接続される第二のアームとを備える、接地が上記超音波モータの上記第三のノードに接続される二つのハーフ・ブリッジ回路を採用するステップと、
Ｃ、上側トランジスタと下側トランジスタがそれぞれ一定の導通角で導通するように上記第一のアームを制御し、上記第一のアームの場合と同じ制御波形となるがそれよりも９０度の進み角または９０度の遅れ角を形成するように上記第二のアームを制御するステップと、
Ｄ、位相差が９０度の電気角であり、上記超音波モータの共振周波数範囲にある周波数を有する脈動直流電圧を出力するステップとを含む。
【００１５】
上記の構成において、２つのハーフ・ブリッジ回路の前段にＤＣ／ＤＣスイッチング回路を設け、給電電圧の振幅を上記圧電素子に必要な電圧振幅に変換させる。
【００１６】
また、上記第四の目的を達成するために、本発明は、超音波モータの駆動方法であって、
Ａ、上記超音波モータの圧電素子を二個一組の形でグループ分けし、各組では、第一の圧電素子の一方のアウトレット端子が第一のノードに接続され、もう一方のアウトレット端子が各圧電素子の共通接地端子としての第三のノードに接続され、第二の圧電素子の一方のアウトレット端子が第二のノードに接続され、もう一方のアウトレット端子も上記第三のノードに接続され、隣接する各四個の圧電素子が＋＋−−の順で分極化されるようにするステップと、
Ｂ、出力が上記超音波モータの上記第一のノードに接続される第一の昇圧型ＤＣ／ＤＣスイッチング回路と、出力が上記超音波モータの上記第二のノードに接続される第二の昇圧型ＤＣ／ＤＣスイッチング回路とを用いて給電電圧の振幅を必要な電圧振幅に変換させるステップと、
Ｃ、上記昇圧型ＤＣ／ＤＣスイッチング回路のそれぞれには、一端が電源の入力に接続されるが、もう一端がトランジスタのコレクタとダイオードの陽極との間に接続される一つのインダクタンスと、インダクタンスの出力端子と接地との間に接続される一つのトランジスタと、インダクタンスの出力端子と回路全体の出力端子との間に接続される一つのダイオードとを含ませるステップと、
Ｄ、上記第一の昇圧型ＤＣ／ＤＣスイッチング回路が一定の脈動周波数で動作し、上記第二の昇圧型ＤＣ／ＤＣスイッチング回路が上記第一の昇圧型ＤＣ／ＤＣスイッチング回路の場合と同じであるが上記第一の昇圧型ＤＣ／ＤＣスイッチング回路の場合よりも１／４周期リードする若しくは遅延する脈動周波数で動作するように制御するステップと、
Ｅ、互いに位相が１／４周期ずれ、電圧振幅が昇圧型ＤＣ／ＤＣスイッチング回路の出力値となり、上記超音波モータの共振周波数範囲にある脈動周波数を有する二つの脈動直流電圧を出力するステップとを含む。
【００１７】
上記の構成において、さらに、各昇圧型ＤＣ／ＤＣスイッチング回路の出力端子と接地との間に一つのトランジスタを接続し、
トランジスタが脈動周波数で周期的に圧電素子に対して放電するように制御してもいい。
【００１８】
また、上記の構成において、各昇圧型ＤＣ／ＤＣスイッチング回路では、トランジスタがダイオードに逆並列接続されるとともに、ダイオードがトランジスタに逆並列接続されてもいい。その結果、超音波モータから電源まで降圧ＤＣ／ＤＣ回路を形成し、超音波モータから電源への電気エネルギー帰還が実現可能である。
【００１９】
本発明の超音波モータの駆動方法は、三相ブリッジ回路で直交二相電圧を出力するため、必要なスイッチング素子が六つだけで十分であり、＋＋−−との順に分極化されるため、給電電圧の電圧振幅を効率よく低減することができ、さらに、駆動回路を簡略化することができるし、駆動回路の効率を向上することができ、コストを低減することができるため、特に、電池による電源供給がされる携帯装置などに超音波モータを適用する場合に有利である、という利点がある。
【００２０】
三相ブリッジ回路で直交二相電圧を出力する構成では、他の制御方式で対称する三相電圧を出力することが可能であるという利点もある。その結果、圧電モータが三相構成又は二相／三相構成の場合は、モータを三相電圧で駆動することが可能となるので、同一の駆動回路が他の構成を選んで同一のモータを駆動することができ、或いは同一の駆動回路でそれぞれ二つ以上の同じタイプの回転子を駆動することができる。
【００２１】
三相ブリッジ回路で対称三相電圧を出力する構成は、六つのスイッチング素子だけでよく、回路が簡単で、集積化され易くなり、入力電流のバランスが自動的に取れるし、出力トルクの脈動が小さくなるため、市場での実用化が高く期待できるという利点を有する。
【００２２】
デュアルハーフブリッジ駆動回路による脈動直流給電の構成は、さらにスイッチング素子数を減らし、電源の回路構成の小型化を実現することができる利点がある。
【００２３】
二つの昇圧型ＤＣ／ＤＣスイッチング回路による駆動構成の利点としては、適切な周辺回路と四つのトランジスタだけで、超音波モータの駆動を実現することができ、また、直流信号が出力されるため、例えば、数百ｋＨｚないし数メガＨｚとトランジスタのスイッチング周波数を大幅に向上することができるため、昇圧型ＤＣ／ＤＣスイッチング回路に必要なインダクタンス及び容量を大幅に低減することができるとともに、その体積も小さくすることができることで、駆動回路の小型化、集積化を実現することができる。特定の場合には、圧電素子を放電するための二つのトランジスタを省くことができる。この場合は、最も簡略化された回路構成を実現できる。この回路の変形では、超音波モータから電源への電気エネルギー帰還を実現でき、モータが二象限で動作することを確保することができる。
【図面の簡単な説明】
【００２４】
【図１】従来の超音波モータの構成、その分極方式及び駆動方式を示す模式図である。
【図２】二相直交型矩形波駆動方式を採用するのデュアルＨブリッジ駆動回路を示す模式図である。
【図３Ａ】一体化したネジ駆動方式の多面体超音波モータの構成と、直接駆動される光学レンズ組の構成とを示す正面図である。
【図３Ｂ】一体化したネジ駆動方式の多面体超音波モータの構成と、該超音波モータに直接駆動される光学レンズ組の構成とを示す側面図である。
【図４】本発明における超音波モータの各圧電素子の分極及び配線を示す模式図である。
【図５Ａ】図２に示すデュアルＨブリッジ駆動回路における二つのアームが超音波モータの共通接地端子によって短絡された形態を模式的に示す回路図である。
【図５Ｂ】本発明における三相ブリッジ駆動回路から直交二相電圧が出力される形態を模式的に示す回路図である。
【図６Ａ】図５Ｂに示す三アームの制御信号の波形を示す模式図である。
【図６Ｂ】図５Ｂに示す三アームの制御信号に対応する出力電圧の波形図である。
【図７】図５Ｂに示す回路の前段に昇圧型ＤＣ／ＤＣ回路が設けられた駆動回路の模式図である。
【図８Ａ】一体化したネジ駆動方式の多面体超音波モータが直接駆動する光学レンズ組の構成を示す図である。
【図８Ｂ】一体化したネジ駆動方式の多面体超音波モータが直接駆動する光学レンズ組の構成を示す図である。
【図９】本発明における三相駆動の場合超音波モータの各圧電素子の分極及び配線を示す模式図である。
【図１０Ａ】本発明における三相ブリッジ回路から直交三相電圧が出力される場合の三アームの制御信号波形を示す模式図である。
【図１０Ｂ】本発明における三相ブリッジ回路から直交三相電圧が出力される場合の出力電圧の波形図である。
【図１１】本発明における単極性の二相脈動直流電圧による駆動の場合超音波モータの各圧電素子の分極及び配線を示す模式図である。
【図１２】本発明における単極性の二相脈動直流電圧を出力する回路を示す模式図である。
【図１３】図１２に示す各アームの制御信号の波形を示す模式図である。
【図１４】図１２に示す回路の前段に昇圧型ＤＣ／ＤＣが設けられた駆動回路を示す模式図である。
【図１５】本発明における単極性の二相脈動直流電圧を出力する回路を示す模式図である。
【図１６】本発明における、二つのスイッチングトランジスタが含まれる単極性の二相脈動直流電圧を出力する回路を示す模式図である。
【図１７】本発明における、電気エネルギーの帰還が可能な単極性の二相脈動直流電圧を出力する回路を示す模式図である。
【発明を実施するための形態】
【００２５】
以下、図面及び実施例を基づいて本発明をさらに詳しく説明する。図３Ａ及び３Ｂは、一体化したネジ駆動方式の多面体超音波モータと、該超音波モータに直接駆動される光学レンズ組とを示す図である。当該超音波モータは、中心に丸穴が設けられた固定子３１と回転子３３とを備える。固定子３１は中空の金属柱体によって構成される。固定子３１の上に複数の圧電素子が固定されている。回転子３３は光学レンズ組３４が内嵌された回転ケーシングによって構成される。固定子３１のボディと回転子３３とがネジ３５によって互いに係合する。即ち、固定子３１の丸穴の内壁にメネジが形成され、これに対応するオネジが回転子３３の外表面に形成されており、メネジとオネジは同じピッチを有する。固定子３１のボディは多面体状又は円柱状の外観を有し、且つ中空内壁を備えている。固定子３１は金属材料によって構成されているので、その上に固定された各圧電素子３２に共通的なノードが形成され、このノードを共通接地端子と称する。図３Ａに示す一体化したネジ駆動方式の多面体超音波モータでは、圧電板が四つで一組との形で組分けされ、隣接する四つの圧電板が＋＋−−の順にそれぞれ分極化され（即ち、前記各四つの圧電板において、隣接する二つの圧電板が正方向に分極化されるが、残りの二つの圧電板が負方向に分極化される）。図４に示すように、圧電素子３２は圧電板４１〜４８によって構成され、圧電板４１〜４８がそれぞれ＋＋−−＋＋−−の順に分極される。尚、圧電素子３２を駆動するための駆動電圧は、二つの圧電板同士の間に印加されるものではなく、各圧電板と金属内環（共通接地端子）との間に印加される。その結果、図４に示すように、各組では、正方向に分極された圧電板と、この圧電板と対向する、負方向に分極されたもう一つの圧電板とが直列接続されて給電されるものではなく、並列接続されて給電されるようになる。即ち、圧電板４１、４３、４５、４７と共通接地端子との間にＡｓｉｎωｔが入力され、圧電板４２、４４、４６、４８と共通接地端子との間にＡｃｏｓωｔが入力される。ここで、Ａが単体の圧電板を駆動するために必要な電圧を示す。この構成では、超音波モータを駆動するために必要な電源電圧が他の駆動方式の半分に低減されているので、駆動電圧の振幅を有効的に低減することができる。
【００２６】
しかし、上記超音波モータの金属内壁の短絡作用により、上記正弦波電圧の代わりに直交する矩形波電圧を印加する場合、図２に示すデュアルＨブリッジ構成は図３に示す超音波モータに直接に適用することができない。この場合に、図５Ａに示すように、超音波モータの金属内壁のため、アーム２２とアーム２４とが各自の中点で短絡し、図５Ａの破線で示すように、アーム２２及びアーム２４上のスイッチングトランジスタに対して独立に且つ十分に制御することができないからである。
【００２７】
実際には、金属内壁の短絡作用により、図５Ａに示す回路が図５Ｂに示す回路となる可能性がある。即ち、実効アームが三つだけ残り、その結果、三相フル・ブリッジ回路となった。そこで、本発明は、三相ブリッジ・インバータ回路から直交二相電圧を出力して制御する方法を提供する。
【００２８】
図３Ａに示すように、金属内壁と、共通接地端子に接続される圧電素子とを備える超音波モータに対して、図４に示す分極方式を採用する。つまり、圧電板４１、４３、４５、４７の一方のアウトレット端子が第一のノードＡに接続されるが、もう一方のアウトレット端子が第二のノードＢに接続される。また、圧電板４２、４４、４６、４８の一方のアウトレット端子が第三のノードＣに接続されるが、もう一方のアウトレット端子も第二のノードＢに接続される。ここで、第二のノードＢは各圧電素子の共通接地端子である。また、駆動回路として図５Ｂに示す三相ブリッジインバータ回路を採用する。三相ブリッジインバータ回路は三つのアーム、即ち、第一のアーム５１、第二のアーム５２、第三のアーム５３を備えており、これらアームの出力端子がそれぞれ超音波モータの第一のノードＡ、第二のノードＢ、第三のノードＣに接続される。
【００２９】
上記三つのアームに対して、以下のように制御を行う。
１．各アームでは、１８０度矩形波制御信号（図６Ａ）が用いられ、周波数が超音波モータの共振周波数範囲内にある。上側トランジスタと下側トランジスタが相補的に導通する。実際に制御する場合、アームにおける上側トランジスタと下側トランジスタが同時に導通しないように、一定の不感時間をさらに設定する必要がある。
【００３０】
２．第一のアーム５１の初期位相角は０であり（図６Ａ−Ａ）、第三のアーム５３は第一のアームと逆位相（図６Ａ−Ｃ）である。第二のアーム５２は第一のアーム５１よりも９０度の電気角で遅れる（図６Ａ−Ｂ）。或いは、第二のアーム５２は第一のアームよりも９０度の電気角で進む（図示しない）。その結果、超音波モータが逆転する。
【００３１】
３．第一のアーム５１の中点と第二のアーム５２の中点の間のノード（ＡＢ）、又は、第三のアーム５３の中点と第二のアーム５２の中点の間のノード（ＣＢ）から、位相が９０度ずれた矩形波交流電圧を出力する（図６Ｂ）。この電圧は単体の圧電板を駆動するために必要な振幅を有し、超音波モータの共振周波数範囲内にある周波数を有する。
【００３２】
４．図７に示すように、給電電圧を希望の電圧値に変換するために、ブリッジ・インバータ回路の前段に昇圧型ＤＣ／ＤＣスイッチング回路を設けてもいい。例えば、電池による給電の場合は、昇圧型ＤＣ／ＤＣスイッチング回路によって電圧を一定の値に昇圧させる。当該昇圧型ＤＣ／ＤＣスイッチング回路は、一端が電源の入力に接続されるが、もう一端がトランジスタのコレクタとダイオードＤ１の陽極との間に接続される一つのインダクタンスＬと、インダクタンスＬの出力端子と接地との間に接続される一つのトランジスタと、インダクタンスＬの出力端子と回路全体の出力端子との間に接続される一つのダイオードＤ１と、回路全体の出力端子と接地との間に接続される一つの容量Ｃ２とを備える。
【００３３】
さらに、出力波形がより正弦波に近づくように、矩形波制御の代わりに、例えば、ＳＰＷＭ、ＳＶＰＷＭなど各種のＰＷＭ制御を採用してもいい。
【００３４】
三相ブリッジ回路で直交二相電圧を出力する構成は、必要なスイッチング素子が六つだけで十分であり、＋＋−−との順に分極化されるため、給電電圧の電圧振幅を効率よく低減することができ、さらに、駆動回路を簡略化することができるし、駆動回路の効率を向上することができ、コストを低減することができるため、特に、電池による電源供給がされる携帯装置などに超音波モータを適用する場合に有利である、という利点がある。
【００３５】
三相ブリッジ回路で直交二相電圧を出力する構成は、更に、他の制御方式で対称する三相電圧を出力することが可能であるという利点もある。その結果、圧電モータが三相構成、又は、二相／三相構成の場合は、モータを三相電圧で駆動することが可能となるので、同一の駆動回路が他の構成を選んで同一のモータを駆動することができ、或いは、同一の駆動回路でそれぞれ二つ以上の同じタイプの回転子を駆動することができる。
【００３６】
図８Ａ及び図８Ｂは三相構成の超音波モータを示し、当該超音波モータは、中心に丸穴が設けられた固定子８１と回転子８３とを備える。固定子８１は中空の金属柱体によって構成される。固定子８１の上に複数の圧電素子８２が固定されている。回転子８３は光学レンズ組８４が内嵌された回転ケーシングによって構成される。固定子８１のボディと回転子８３とがネジ８５によって互いに係合する。即ち、固定子８１の丸穴の内壁にメネジが形成され、これに対応するオネジが回転子８３の外表面に形成されており、メネジとオネジは同じピッチを有する。固定子８１のボディは多面体状又は円柱状の外観を有し、且つ中空内壁を備えている。固定子８１は金属材料によって構成されているので、その上に固定された各圧電素子８２に共通的なノードが形成され、このノードを共通接地端子と称する。二相駆動の超音波モータにおいて圧電素子の個数が通常４の倍数である。三相駆動の超音波モータにおいて圧電素子の個数が３の倍数でなければならない。図９に示すように、圧電素子が六つあり、それぞれ圧電板９２、９３、９４、９６、９７、９８である。即ち、図４に示す構成から二つの圧電セラミックス素子を減らすことができる。三相駆動のモータの場合、分極方式と配線が図９に、駆動回路が図５に、駆動波形が図１０に、それぞれ示されている。
【００３７】
図８に示すように、金属内壁と、共通接地端子に接続される圧電素子とを備える超音波モータに対して、図９に示す分極方式を採用する。つまり、圧電板９２、９３、９４、９６、９７、９８が＋＋＋＋＋＋の順に分極化される。圧電板９２、９６の一方のアウトレット端子が第一のノードＡに接続される、もう一方のアウトレット端子が共通接地端子に接続され、圧電板９３、９７の一方のアウトレット端子が第二のノードＢに接続されるが、もう一方のアウトレット端子が共通接地端子に接続され、圧電板９４、９８の一方のアウトレット端子が第三のノードＣに接続されるが、もう一方のアウトレット端子が共通接地端子に接続される。また、駆動回路として図５Ｂに示す三相ブリッジインバータ回路を採用する。三相ブリッジインバータ回路は三つのアーム、即ち、第一のアーム５１、第二のアーム５２、第三のアーム５３を備えており、これらアームの出力端子がそれぞれ超音波モータの第一のノードＡ、第二のノードＢ、第三のノードＣに接続される。上記三つのアームに対して、以下のように制御を行う。
【００３８】
１．各アームでは、１８０度矩形波制御信号（図１０Ａ）が用いられ（１２０度矩形波制御信号でもいい）、周波数が超音波モータの共振周波数範囲内にある。上側トランジスタと下側トランジスタが相補的に導通する。実際に制御する場合、アームにおける上側トランジスタと下側トランジスタが同時に導通しないように、一定の不感時間をさらに設定する必要がある。
【００３９】
２．第一のアーム５１の初期位相角は０である（図１０Ａ−Ａ）。第二のアーム５２は第一のアーム５１よりも１２０度の電気角で遅れる（図１０Ａ−Ｂ）。第三のアーム５３は第二のアーム５２よりも１２０度の電気角で遅れる（図５Ａ−Ｃ）。或いは、第二のアーム５２、第三のアーム５３は順次に第一のアーム５１よりも１２０度の電気角で進む（図示しない）。その結果、超音波モータが逆転する。
【００４０】
３．それぞれ第一のアーム５１の中点、第二のアーム５２の中点、第三のアーム５３の中点から、位相が１２０度ずれた交流電圧（図１０Ｂ）が出力され、星形結線とされる。この電圧は直列接続された２つの圧電板を駆動するために必要な振幅を有し、超音波モータの共振周波数範囲内にある周波数を有する。
【００４１】
４．  図７に示すように、給電電圧を希望の電圧値に変換するために、ブリッジ・インバータ回路の前段に昇圧型ＤＣ／ＤＣスイッチング回路を設けてもいい。例えば、電池による給電の場合は、昇圧型ＤＣ／ＤＣスイッチング回路によって電圧を一定の値に昇圧させる。
【００４２】
さらに、出力波形がより正弦波に近づくように、矩形波制御の代わりに、例えば、ＳＰＷＭ、ＳＶＰＷＭなど各種のＰＷＭ制御を採用してもいい。
【００４３】
三相ブリッジ回路で対称三相電圧を出力する構成は、六つのスイッチング素子だけでよく、回路が簡単で、集積化され易くなり、入力電流のバランスが自動的に取れるし、出力トルクの脈動が小さくなるため、市場での実用化が高く期待できるという利点を有する。
【００４４】
伝統的な超音波モータの制御方法、及び上記改良した制御方法では、電源として双極性電源が使用される。つまり、出力電圧が交流電圧である。その結果、その回路を実現するためには、インバータ回路を採用しなければならない。インバータ回路は、八つのトランジスタ（デュアルＨブリッジ）又は六つのトランジスタ（三相ブリッジ、二相直交電圧出力）が必要となり、出力周波数が一般的に音声周波数以上であり、例えば、１５ｋＨｚ〜２００１５ｋＨｚ。回路におけるインダクタンス、容量など受動素子の動作周波数も上記出力周波数と同じ範囲内である。回路の受動素子の動作周波数をさらに高め、電源の体積を縮小するために、本発明は単極性電源で超音波モータを駆動する方法も提供する。図１１に示すように、図３に示す金属内壁を有する圧電超音波モータに対して、同様に＋＋−−という分極方式を採用する。即ち、圧電板１１２、１１３、１１４、１１５、１１６、１１７、１１８、１１１が＋＋−−＋＋−−の順に分極化される。圧電板１１２、１１４、１１６、１１８の一方のアウトレット端子が第一のノードＡに接続されるが、もう一方のアウトレット端子が第三のノードＣに接続され、圧電板１１１、１１３、１１５、１１７の一方のアウトレット端子が第二のノードＢに接続されるが、もう一方のアウトレット端子も第三のノードＣに接続される。第三のノードＣが各圧電素子の共通接地端子となる。電源の出力段はデュアル・ハーフ・ブリッジ脈動直流給電方式が採用される。図１２に示す回路において、第一のアーム１２１と第二のアーム１２２とを備え、これらのアームの出力端子がそれぞれ超音波モータの第一のノードＡと第二のノードＢに接続される。以下のように各アームを制御する。
【００４５】
１．各アームでは、上側トランジスタに１８０度などの矩形波制御信号（図１３）が用いられる。上側トランジスタと下側トランジスタが相補的に導通する。実際に制御する場合、アームにおける上側トランジスタと下側トランジスタが同時に導通しないように、一定の不感時間をさらに設定する必要がある。
【００４６】
２．第一のアーム１２１の初期位相角は０であり（図１３−Ａ）、第二のアーム１２２は第一のアーム１２１よりも９０度の電気角で遅れる（図１３−Ｂ）。或いは、第二のアーム１２２は第一のアーム１２１よりも９０度の電気角で進む（図示しない）。その結果、超音波モータが逆転する。
【００４７】
３．第一のアーム１２１の中点又は第二のアーム１２２の中点と共通接地端子との間のノードから、位相が１／４周期ずれた矩形波の脈動直流電圧を出力する。この電圧は、ＤＣ／ＤＣスイッチング回路の出力信号に相当し、超音波モータの共振周波数範囲内にある周波数で脈動する。
【００４８】
４．給電電圧を希望の電圧値に変換するために、デュアル・ハーフ・ブリッジ脈動直流回路の前段に昇圧型ＤＣ／ＤＣスイッチング回路を設けてもいい。例えば、図１４に示すように、電池による給電の場合は、昇圧型ＤＣ／ＤＣスイッチング回路によって電圧を一定の値に昇圧させる。
【００４９】
さらに、脈動直流の出力波形がより正弦波に近づくように、矩形波制御の代わりに、例えば、ＳＰＷＭ、ＳＶＰＷＭなど各種のＰＷＭ制御を採用してもいい。
【００５０】
図１２に示す回路は、単極性出力であるが、二つの脈動直流出力を得るには四つのトランジスタが使用されている。また、その前段に昇圧型回路が設けられる場合に、昇圧型ＤＣ／ＤＣスイッチング回路に少なくとも一つのトランジスタが必要である。結果として、合わせて五つのトランジスタが必要となる。単極回路の動作原理では、一つの直流出力を得るためには少なくとも一つのトランジスタが必要であり、二つの直流出力を得るためには二つのトランジスタが必要である。
【００５１】
図１５に示すように、駆動回路が二つの昇圧型ＤＣ／ＤＣスイッチング回路に簡略化されている。いずれも同じ周波数であるが位相が１／４周期ずれた脈動直流電圧を出力する。各昇圧型ＤＣ／ＤＣスイッチング回路は、一端が電源の入力に接続されるが、もう一端がトランジスタのコレクタとダイオードの陽極との間に接続される一つのインダクタンスと、インダクタンスの出力端子と接地との間に接続される一つのトランジスタと、インダクタンスの出力端子と回路全体の出力端子との間に接続される一つのダイオードと、回路全体の出力端子と接地との間に接続される一つの容量とを備える。ここで、脈動信号を出力するために、更に回路全体の出力端子と接地の間にトランジスタＱ３、Ｑ４を接続させ、圧電素子の容量を放電する。
【００５２】
この方法によれば、適切な周辺回路と四つのトランジスタだけで、超音波モータの駆動を実現することができ、また、直流信号が出力されるため、例えば、数百ｋＨｚないし数メガＨｚとトランジスタのスイッチング周波数を大幅に向上することができるため、昇圧型ＤＣ／ＤＣスイッチング回路に必要なインダクタンス及び容量を大幅に低減することができるとともに、その体積も小さくすることができることで、駆動回路の小型化、集積化を実現することができる。
【００５３】
特定の場合には、圧電素子を放電するための二つのトランジスタＱ３、Ｑ４を省くことができる。この場合は、最も簡略化された図１６に示す回路構成を実現できる。
【００５４】
或いは、図１７に示す回路のように、各昇圧型回路のトランジスタに一つのダイオードを逆並列接続し、各昇圧型回路のダイオードに一つのトランジスタを逆並列接続してもいい。逆並列接続したトランジスタを制御することで、圧電素子の電気エネルギーの入力電源へ帰還が可能となる。従って、効率を向上することができる。
【００５５】
上記の構成では、通常の交流出力の代わりに、単極性脈動直流電圧で給電することができる。直流信号が出力されるため、例えば、数百ｋＨｚないし数メガＨｚとトランジスタのスイッチング周波数を大幅に向上することができるため、駆動回路の小型化、集積化を実現することができる。
【００５６】
（実施例１）
図３に示すように、本実施例の超音波モータは、中心に丸穴が設けられた固定子３１と回転子３３とを備える。固定子３１は中空の金属柱体によって構成される。固定子３１の上に複数の圧電素子３２が固定されている。回転子３３は光学レンズ組３４が内嵌された回転ケーシング３３によって構成される。固定子３１のボディと回転子３３とがネジ３５によって互いに係合する。即ち、固定子３１の丸穴の内壁にメネジが形成され、これに対応するオネジが回転子３３の外表面に形成されており、メネジとオネジは同じピッチと同じ呼び径を有する。固定子３１のボディは多面体状又は円柱状の外観を有し、且つ中空内壁を備えている。固定子３１は金属材料によって構成されているので、その上に固定された各圧電素子に共通的なノードが形成されるている。ネジの表面に耐摩耗処理が施され、或いは、その表面に耐摩耗材料が塗布された。ネジの断面の形状は、三角形、台形、矩形、凸面などの形状及びこれらの組み合わせであればいい。ネジの線形は、連続的な曲線、断面曲線（Section curve）、又は特定軌跡の曲線であればいい。
【００５７】
図４に圧電素子の分極方式とその駆動電源の配線形態が示される。圧電板４１〜４８が＋＋−−＋＋−−の順に分極され、また、図５Ｂに示す回路の第一のアーム５１及び第三のアーム５３の中点に接続されるとともに、第二のアーム５２の中点に固定子の共通接地端子に接続されると、圧電板が激励されて、固定子に時計回り方向に回転する振動進行波が形成される。当該進行波が摩擦作用によって回転子を回転させる。固定子のネジと回転子のネジが互いに係り合うため、回転子が回転するとともに軸方向に沿って移動する。回転子に内嵌された光学レンズ組がそれに応じて移動し変位するので、焦点距離が調節されるようになる。
【００５８】
本実施例において、図６Ａに第一のアーム５１、第二のアーム５２及び第三のアーム５３の制御方式が、図６Ｂに各圧電素子と共通接地端子の間に印加される電圧ＵＡＢ  、ＵＣＢの実際の波形が、それぞれ示されている。
【００５９】
（実施例２）
実施例２と実施例１との相違点として、駆動電源の回路構成が違う。図７に示すように、給電電圧を昇圧するために、図５Ｂに示すブリッジインバータ回路の前段に昇圧型ＤＣ／ＤＣスイッチング回路が設けられている。例えば、電池で給電する場合には、昇圧型ＤＣ／ＤＣスイッチング回路で電圧を一定の電圧値に昇圧させる。
【００６０】
勿論、給電電圧が電圧素子に必要な駆動電圧よりも高い場合は、同じ原理で降圧型ＤＣ／ＤＣスイッチング回路を利用して給電電圧を一定の電圧値に降圧させることができる。
【００６１】
（実施例３）
図８に本実施例の超音波モータが示される。本実施例の構成は、圧電素子の個数が違うこと以外、図３に示す構成と同様である。すなわち、本実施例では六つの圧電素子があるため、三相電源でモータを駆動させることができる。
【００６２】
図９に圧電素子の分極方式とその駆動電源の配線形態が示される。圧電板９２〜９４、９６〜９８が全部順方向に分極される。図５Ｂに示す回路の第一のアーム５１、第二のアーム５２及び第三のアーム５３の中点に順次に接続されると、圧電板が三相電源によって激励されて固定子に時計回り方向に回転する振動進行波が形成される。当該進行波が摩擦作用によって回転子を回転させる。固定子のネジと回転子のネジが互いに係り合うため、回転子が回転するとともに軸方向に沿って移動する。
【００６３】
この実施例では、図１０Ａに第一のアーム５１、第二のアーム５２、第三のアーム５３の制御方式が、図１０Ｂに各圧電素子と共通接地端子の間に印加される電圧ＵＡＢ  、ＵＢＣ、ＵＣＡの実際の波形が、それぞれ示されている
【００６４】
（実施例４）
実施例４においても、実施例１の超音波モータを採用し、その圧電素子の分極方式も同じである。図１１にその駆動電源の配線形態が示される。図１２に示す回路の第一のアーム１２１と第二のアーム１２２の中点に順次に接続されるとともに、モータの共通接地端子に電源の接地が接続されると、圧電板が激励されて固定子に時計回り方向に回転する振動進行波が形成される。当該進行波が摩擦作用によって回転子を回転させる。固定子のネジと回転子のネジが互いに係りあうため、回転子が回転するとともに軸方向に沿って移動する。
【００６５】
この実施例では、図１３に、第一のアーム１２１、第二のアーム１２２の制御方式が示される。
【００６６】
（実施例５）
実施例５と実施例４の相違点として、駆動電源の回路構成だけが違う。図１４に示すように、給電電圧を昇圧するために、図１３に示すブリッジインバータ回路の前段に昇圧型ＤＣ／ＤＣスイッチング回路が設けられている。例えば、電池で給電する場合には、昇圧型ＤＣ／ＤＣスイッチング回路で電圧を一定の電圧値に昇圧させる。
【００６７】
勿論、給電電圧が電圧素子に必要な駆動電圧よりも高い場合は、同じ原理で降圧型ＤＣ／ＤＣスイッチング回路を利用して給電電圧を一定の電圧値に降圧させることができる。
【００６８】
（実施例７）
実施例７においても、実施例１の超音波モータを採用し、その圧電素子の分極方式も同じである。図１５にその駆動電源の配線形態が示される。図１５に示す回路の出力端子に順次に接続されるとともに、モータの共通接地端子に電源の接地が接続されると、圧電板が激励されて固定子に時計回り方向に回転する振動進行波が形成される。当該進行波が摩擦作用によって回転子を回転させる。固定子のネジと回転子のネジが互いに係りあうため、回転子が回転するとともに軸方向に沿って移動する。
【００６９】
（実施例８）
図１６に示すように、実施例８と実施例７の相違点としては、駆動電源の回路構成だけが違う。
【００７０】
（実施例９）
図１７に示すように、実施例９と実施例７の相違点としては、駆動電源の回路構成だけが違う。
【図１】
2011501646.tif 000003
【図２】
2011501646.tif 000004
【図３Ａ】
2011501646.tif 000005
【図３Ｂ】
2011501646.tif 000006
【図４】
2011501646.tif 000007
【図５Ａ】
2011501646.tif 000008
【図５Ｂ】
2011501646.tif 000009
【図６Ａ】
2011501646.tif 000010
【図６Ｂ】
2011501646.tif 000011
【図７】
2011501646.tif 000012
【図８Ａ】
2011501646.tif 000013
【図８Ｂ】
2011501646.tif 000014
【図９】
2011501646.tif 000015
【図１０Ａ】
2011501646.tif 000016
【図１０Ｂ】
2011501646.tif 000017
【図１１】
2011501646.tif 000018
【図１２】
2011501646.tif 000019
【図１３】
2011501646.tif 000020
【図１４】
2011501646.tif 000021
【図１５】
2011501646.tif 000022
【図１６】
2011501646.tif 000023
【図１７】
2011501646.tif 000024
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
各組にそれぞれ第一の圧電素子と第二の圧電素子が含まれるように二個一組の形でグループ分けられる複数の圧電素子を備える超音波モータを、第一のアーム、第二のアーム及び第三のアームを有する三相フル・ブリッジ・インバータ回路によって駆動する超音波モータの駆動方法において、
上記第一の圧電素子のそれぞれに対して、一方のアウトレット端子が上記第一のアームの出力端に接続され、もう一方のアウトレット端子が共通接地に接続されるようにするステップと、
上記第二の圧電素子のそれぞれに対して、一方のアウトレット端子が第三のアームの出力端に接続され、もう一方のアウトレット端子が上記共通接地としての上記第二のアームに接続され、隣接する各四個一組の圧電素子が＋＋−−の順に分極化されるようにするステップと、
上記第一のアームと上記第二のアームの出力端の間の電圧と、上記第三のアームと上記第二のアームの出力端の間の電圧とが、上記超音波モータの共振周波数範囲にある周波数を有し、位相差が９０度である交流電圧になるように、上記第一のアーム、上記第二のアーム及び上記第三のアームを制御する制御ステップと、
を含むことを特徴とする超音波モータの駆動方法。
【請求項２】
上記制御ステップは、
上記第二のアームを制御するための波形と上記第一のアームを制御するための波形との位相差が９０度になり、上記第三のアームを制御するための波形と上記第一のアームを制御するための波形との位相差が１８０度になるように、上記第一のアーム、上記第二のアーム及び上記第三のアームのそれぞれに備える直列接続の第一のトランジスタと第二のトランジスタを各自１８０度の電気角で導通するように制御するステップを含むことを特徴とする請求項１に記載の超音波モータの駆動方法。
【請求項３】
上記三相フル・ブリッジ・インバータ回路の前段にＤＣ／ＤＣスイッチング回路を設置することにより、上記モータに給電する電圧の振幅を上記圧電素子に必要な電圧振幅に変換させるステップをさらに含むことを特徴とする請求項１に記載の超音波モータの駆動方法。
【請求項４】
各組にそれぞれ第一の圧電素子と第二の圧電素子と第三の圧電素子とが含まれるように三個一組の形でグループ分けられる複数の圧電素子を備える超音波モータを、第一のアーム、第二のアーム及び第三のアームを有する三相フル・ブリッジ・インバータ回路によって駆動する超音波モータの駆動方法において、
上記第一の圧電素子のそれぞれに対して、一方のアウトレット端子が上記第一のアームの出力端に接続され、もう一方のアウトレット端子が共通接地に接続されるようにするステップと、
上記第二の圧電素子のそれぞれに対して、一方のアウトレット端子が上記第二のアームの出力端に接続され、もう一方のアウトレット端子が共通接地に接続されるようにするステップと、
上記第三の圧電素子のそれぞれに対して、一方のアウトレット端子が上記第三のアームの出力端に接続され、もう一方のアウトレット端子が共通接地に接続され、上記複数の圧電素子が全部正方向に分極化されるようにするステップと、
上記第一のアームと上記第二のアームの出力端の間の電圧と、上記第二のアームと上記第三のアームの出力端の間の電圧と、上記第三のアームと上記第一のアームの出力端の間の電圧とが、上記超音波モータの共振周波数範囲にある周波数を有し、位相差が１２０度である交流電圧になるように、上記第一のアーム、上記第二のアーム及び上記第三のアームを制御する制御ステップと、
を含むことを特徴とする超音波モータの駆動方法。
【請求項５】
上記制御ステップは、
上記第二のアームを制御するための波形と上記第一のアームを制御するための波形との位相差が１２０度になり、上記第三のアームを制御するための波形と上記第一のアームを制御するための波形との位相差が２４０度になるように、上記第一のアーム、上記第二のアーム及び上記第三のアームのそれぞれに備える直列接続の第一のトランジスタと第二のトランジスタを各自１８０度の電気角で導通するように制御するステップを含むことを特徴とする請求項４に記載の超音波モータの駆動方法。
【請求項６】
上記三相フル・ブリッジ・インバータ回路の前段にＤＣ／ＤＣスイッチング回路を設置することにより、モータに給電する電圧の振幅を上記圧電素子に必要な電圧振幅に変換させるステップをさらに含むことを特徴とする請求項４に記載の超音波モータの駆動方法。
【請求項７】
各組にそれぞれ第一の圧電素子と第二の圧電素子が含まれるように二個一組の形でグループ分けられる複数の圧電素子を備える超音波モータを、第一のアームと第二のアームを有するハーフ・ブリッジ回路によって駆動する超音波モータの駆動方法において、
上記第一の圧電素子のそれぞれに対して、一方のアウトレット端子が上記第一のアームの出力端に接続され、もう一方のアウトレット端子が共通接地に接続されるようにするステップと、
上記第二の圧電素子のそれぞれに対して、一方のアウトレット端子が第二のアームの出力端に接続され、もう一方のアウトレット端子が上記共通接地に接続され、隣接する各四個一組の圧電素子が＋＋−−の順に分極化されるようにするステップと、
上記第一のアームと上記第二のアームの出力が、上記超音波モータの共振周波数範囲にある周波数を有し、位相差が９０度である脈動直流電圧になるように、上記第一のアームと上記第二のアームを制御する制御ステップと、
を含むことを特徴とする超音波モータの駆動方法。
【請求項８】
上記制御ステップは、
上記第二のアームを制御するための波形と上記第一のアームを制御するための波形との位相差が９０度になるように、上記第一のアーム及び上記第二のアームのそれぞれに備える直列接続の第一のトランジスタと第二のトランジスタを各自一定の電気角で導通するように制御するステップを含むことを特徴とする請求項７に記載の超音波モータの駆動方法。
【請求項９】
上記ハーフ・ブリッジ回路の前段にＤＣ／ＤＣスイッチング回路を設置することにより、モータに給電する電圧の振幅を上記圧電素子に必要な電圧振幅に変換させるステップをさらに含むことを特徴とする請求項７に記載の超音波モータの駆動方法。
【請求項１０】
各組にそれぞれ第一の圧電素子と第二の圧電素子が含まれるように二個一組の形でグループ分けられる複数の圧電素子を備える超音波モータを、第一のＤＣ／ＤＣスイッチング回路と第二のＤＣ／ＤＣスイッチング回路を有する昇圧型ＤＣ／ＤＣスイッチング回路によって駆動する超音波モータの駆動方法において、
上記第一の圧電素子のそれぞれに対して、一方のアウトレット端子が上記第一のＤＣ／ＤＣスイッチング回路の出力端に接続され、もう一方のアウトレット端子が共通接地に接続されるようにするステップと、
上記第二の圧電素子のそれぞれに対して、一方のアウトレット端子が上記第二のＤＣ／ＤＣスイッチング回路の出力端に接続され、もう一方のアウトレット端子も上記共通接地に接続され、隣接する各四個一組の圧電素子が＋＋−−の順に分極化されるようにするステップと、
周波数が同じであるが位相差が１／４周期であり、且つ振幅値が上記第一のＤＣ／ＤＣスイッチング回路と第二のＤＣ／ＤＣスイッチング回路の出力値である第一脈動直流電圧と第二脈動直流電圧がそれぞれ出力されるように、上記第一のＤＣ／ＤＣスイッチング回路と上記第二のＤＣ／ＤＣスイッチング回路を、上記超音波モータの共振周波数範囲にある一定の周波数で脈動するように制御する制御ステップと、
を含むことを特徴とする超音波モータの駆動方法。
【請求項１１】
上記第一のＤＣ／ＤＣスイッチング回路と上記第二のＤＣ／ＤＣスイッチング回路はそれぞれ、一端が電源の入力に接続されるが、もう一端が第一のトランジスタのコレクタと第一のダイオードの陽極との間に接続されるインダクタンスと、上記インダクタンスの出力端子と接地との間に接続される第一トランジスタと、上記インダクタンスの出力端と回路全体の出力端との間に接続される第一ダイオードとを含んでおり、また、上記第一のＤＣ／ＤＣスイッチング回路及び第二のＤＣ／ＤＣスイッチング回路の出力端子と接地との間に第二トランジスタが接続され、上記第一トランジスタと第二ダイオードが反方向並列接続され、
脈動周波数で上記圧電素子のそれぞれに周期的に放電させるように上記第二のトランジスタをを制御するステップをさらに含むことを特徴とする請求項１０に記載の超音波モータの駆動方法。
【請求項１２】
超音波モータであって、
回転子と、
第一の圧電素子と第二の圧電素子によって形成された複数の圧電素子対を含む複数の圧電素子が設けられ、中空内壁を有する金属体を備えてねじ山によって上記回転子と結合し、上記複数の圧電素子の共通接地点として構成されてなる固定子と、
第一のアーム、第二のアーム及び第三のアームを設けられる三相フル・ブリッジ・インバータ回路とを備えており、
上記第一の圧電素子の一方のアウトレット端子が上記第一のアームの出力端に接続され、もう一方のアウトレット端子が共通接地に接続され、
上記第二の圧電素子の一方のアウトレット端子が上記第三のアームの出力端に接続され、もう一方のアウトレット端子が上記共通接地としての上記第三のアームに接続され、隣接する各四個一組の圧電素子が＋＋−−の順に分極化され、
上記第一のアームと上記第二のアームの出力端の間の電圧と上記第三のアームと上記第二のアームの出力端の間の電圧は位相差が９０度である交流電圧になり、上記交流電圧の周波数は上記超音波モータの共振周波数範囲にあることを特徴とする超音波モータ。
【請求項１３】
超音波モータであって、
回転子と、
第一の圧電素子と第二の圧電素子と第三の圧電素子によって形成された複数の圧電素子対を含む複数の圧電素子が設けられており、中空内壁を有する金属体を備えてねじ山によって上記回転子と結合し、上記複数の圧電素子の共通接地点として構成されてなる固定子と、
第一のアーム、第二のアーム及び第三のアームが設けられる三相フル・ブリッジ・インバータ回路とを備えており、
上記第一の圧電素子の一方のアウトレット端子が上記第一のアームの出力端に接続され、もう一方のアウトレット端子が共通接地に接続され、
上記第二の圧電素子の一方のアウトレット端子が上記第二のアームの出力端に接続され、もう一方のアウトレット端子が上記共通接地に接続され、
上記第三の圧電素子の一方のアウトレット端子が上記第三のアームの出力端に接続され、もう一方のアウトレット端子が上記共通接地に接続され、上記複数の圧電素子が全部正方向に分極化され、
上記第一のアームと上記第二のアームの出力端の間の電圧、上記第三のアームと上記第二のアームの出力端の間の電圧、及び上記第三のアームと第一のアームとの出力端の間の電圧は、位相差が１２０度であり、上記超音波モータの共振周波数範囲にある周波数を有する交流電圧になることを特徴とする超音波モータ。
【請求項１４】
超音波モータであって、
回転子と、
第一の圧電素子と第二の圧電素子とによって形成された複数の圧電素子対を含む複数の圧電素子が設けられており、中空内壁を有する金属体を備えてねじ山によって上記回転子と結合し、上記複数の圧電素子の共通接地点として構成されてなる固定子と、
第一のアームと第二のアームを有するハーフ・ブリッジ・インバータ回路とを備えており、
上記第一の圧電素子の一方のアウトレット端子が上記第一のアームの出力端に接続され、もう一方のアウトレット端子が上記共通接地に接続され、
上記第二の圧電素子の一方のアウトレット端子が上記第二のアームの出力端に接続され、もう一方のアウトレット端子が上記共通接地に接続され、隣接する各四個一組の圧電素子が＋＋−−の順に分極化され、
上記第一のアームと上記第二のアームから、位相差が９０度であり、上記超音波モータの共振周波数範囲にある周波数を有する脈動直流電圧が出力されることを特徴とする超音波モータ。
【請求項１５】
超音波モータであって、
回転子と、
各組にそれぞれ第一の圧電素子と第二の圧電素子が含まれるように二個一組の形でグループ分けられる複数の圧電素子が設けられており、中空内壁を有する金属体を備えてねじ山によって上記回転子と結合し、上記複数の圧電素子の共通接地点として構成されてなる固定子と、
第一のＤＣ／ＤＣスイッチング回路と、
第二のＤＣ／ＤＣスイッチング回路とを備えており、
上記第一の圧電素子の一方のアウトレット端子が上記第一のＤＣ／ＤＣスイッチング回路の出力端に接続され、もう一方のアウトレット端子が上記共通接地に接続され、
上記第二の圧電素子の一方のアウトレット端子が上記第二のＤＣ／ＤＣスイッチング回路の出力端に接続され、もう一方のアウトレット端子も上記共通接地に接続され、隣接する各四個一組の圧電素子が＋＋−−の順に分極化され、
上記第一のＤＣ／ＤＣスイッチング回路は上記出力端から第一の脈動直流電圧が出力されるように構成されているとともに、上記第二のＤＣ／ＤＣスイッチング回路は上記出力端から第二の脈動直流電圧が出力されるように構成されており、
上記第一の脈動直流電圧と上記第二の脈動直流電圧は、周波数が同じであるが、その位相差が１／４周期であり、且つ、その振幅値が上記第一のＤＣ／ＤＣスイッチング回路と上記第二のＤＣ／ＤＣスイッチング回路の出力値であり、上記脈動の周波数が上記超音波モータの共振周波数範囲にあることを特徴とする超音波モータ。
【国際調査報告】
2011501646.tif 000025
2011501646.tif 000026
2011501646.tif 000027
2011501646.tif 000028
2011501646.tif 000029
2011501646.tif 000030
2011501646.tif 000031
2011501646.tif 000032